(57)【要約】【課題】  本発明は女性用ブーツが、いつまでも美しく、綺麗な状態で保持されるためのブーツスンドで、少しのスペースに収まり、かつ見た目にも綺麗に見え全体を家具調に仕立て、玄関でブーツを整理するために、縦長のスタンドを設け、これにブーツを支える状態をつくりブーツが倒れない、折れ曲がらない、皺にならないように工夫し、靴が傷まないよう翌日も気持ちよく履くことができるように工夫したブーツスタンドを提供する。【解決手段】  土台板（１）に、主支柱孔（２）、副支柱孔（３）を設け、土台板（１）の裏面に安定ゴム（４）を設け、主支柱孔（２）に主支柱（５）を設け、副支柱孔（３）に副支柱（６）を設け、ブーツキャッチャー（７）、ブーツクリップ（８）、靴受け板（９）、小物等の飾り板（１０）、小物用フック（１１）、天板（１２）を設けたことを特徴とするブーツスタンド。【選択図】図８
2012075830.tif 000002
【特許請求の範囲】
【請求項１】
土台板（１）に、主支柱孔（２）、副支柱孔（３）を設け、土台板（１）の裏面に安定ゴム（４）を設け、主支柱孔（２）に主支柱（５）を設け、副支柱孔（３）に副支柱（６）を設け、ブーツキャッチャー（７）、ブーツクリップ（８）、靴受け板（９）、小物等の飾り板（１０）、小物用フック（１１）、天板（１２）を設けたことを特徴とするブーツスタンド。
【発明の詳細な説明】
【技術分野】
【０００１】  本発明は女性用ブーツが、いつまでも美しく、綺麗な状態で保持されるためのブーツスンドで、少しのスペースに収まり、かつ見た目にも綺麗に見え全体を家具調に仕立て、玄関でブーツを整理するために、縦長のスタンドを設け、これにブーツを支える状態をつくりブーツが倒れない、折れ曲がらない、皺にならないように工夫し、靴が傷まないよう翌日も気持ちよく履くことができるように工夫したブーツスタンドに関するものである。
【背景技術】
【０００２】  従来、様々なブーツスタンドが市販されているが、ブーツの中に差し込むだけのものは、ブーツが倒れることが多かった。
そこで、縦型にして、ブーツを吊り下げることにより、場所をとらず、多くのブーツが収納できるように工夫した。
【発明の概要】
【発明が解決しようとする課題】
【０００３】  玄関でブーツを脱いだ後に、ブーツが倒れることがあった。
また、ブーツは、玄関の場所をとるだけではなく、見苦しかった。
また、ブーツの型崩れの原因にもなっていた。
ブーツを倒さず収納できること、あまり場所をとらないで収納できること、玄関以外の場所でも使えること、と、いう３点が解決できる課題である。
【課題を解決するための手段】
【０００４】  土台板（１）に、主支柱孔（２）、副支柱孔（３）を設ける。
土台板（１）の裏面に安定ゴム（４）を設ける。
主支柱孔（２）に主支柱（５）を設け、副支柱孔（３）に副支柱（６）を設け、ブーツキャッチャー（７）、ブーツクリップ（８）、靴受け板（９）、小物等の飾り板（１０）、小物用フック（１１）、天板（１２）を設ける。
以上のように構成されたブーツスタンドである。
【発明の効果】
【０００５】  縦長形状のブーツスタンドで、女性用ブーツをコンパクトに整理ができる。
１台で、５足〜６足収納できるので、たくさんのブーツを持っていて収納場所に困っていた人も、これ１台で対応できる。
狭い玄関でもたくさんのブーツが収納できる。
玄関、または、廊下などで、すっきりブーツを収納できる。
上から吊り下げることによりブーツが倒さず、型崩れさせることなく収納できる。
ブーツキャッチャー部分は、ステンレス支柱と木製のキャッチャーの摩擦で固定できる。
ブーツキャッチャーは、長短のブーツに対応できるよう上下の動きが自由である。
靴底板も左右１８０度動き、適度の合う位置が決められる。
また、狭い玄関の場合、廊下や部屋に置いても違和感のないように、インテリア風のデザインにし、鉢植えを飾ったり写真を飾ったりすることでも使用できる。
鉢植えや写真を飾り、冬以外の季節でも部屋のインテリアとして使用することができる。
【図面の簡単な説明】
【０００６】
【図１】  本発明を実施するための形態の土台板の説明図である。
【図２】  本発明の一部支柱で、（ａ）が主支柱で、（ｂ）が副支柱の説明図である。
【図３】  本発明のブーツキャッチャーの説明図である。
【図４】  本発明の靴受け板の説明図である。
【図５】  本発明の小物等の飾り板の説明図である。
【図６】  本発明の小物用フック板の説明図である。
【図７】  本発明の天板の説明図である。
【図８】  本発明の全体の説明図である。
【発明を実施するための形態】
【０００７】  本発明の実施の形態について説明する。
土台板（１）に、主支柱孔（２）、副支柱孔（３）を設け、土台板（１）の裏面に安定ゴム（４）を設け、主支柱孔（２）に主支柱（５）を設け、副支柱孔（３）に副支柱（６）を設け、ブーツキャッチャー（７）、ブーツクリップ（８）、靴受け板（９）、小物等の飾り板（１０）、小物用フック（１１）、天板（１２）を設けたことを特徴とするブーツスタンドである。
土台板（１）は、全体を支える役目である。
主支柱（２）は、約１３７ｃｍで、屋台骨の役目である。
副支柱（６）は、約１３７ｃｍで、ブーツキャッチャー（７）、靴受け板（９）、小物等の飾り板（１０）、小物用フック（１１）、天板（１２）の孔に差し固定する役目である。
ブーツキャッチャー（７）は、ブーツを吊り下げる役目である。
靴受け板（９）は、吊り下げたブーツの靴底を受け止める役目である。
小物等の飾り板（１０）は、小物を飾る役目である。
フック用板（１１）は、鍵などを掛ける役目である。
天板（１２）は、上部で、土台板（１）、主支柱孔（２）を固定する役目である。
パイプ（５）に副支柱（６）〜小物用フック（１１）をセットするときは、摩擦力を強めるため、上向きにすることが大切である。
（イ）土台板（１）は、上部重量を受け止めるため、安定性が必要となるので硬く重い材料を使用し、主支柱孔（２）、副支柱孔（３）の孔を深めにした。
（ロ）安全ゴム（４）は、土台板（１）に裏側に付く、役目は土台板のぐら付きと横滑りをなくし、バランスをとるためである。
（ハ）主支柱（５）は、木製で孔に入る部分は４角形である。
スタンド全体を支える役目である。
長さ、約１３７ｃｍは、ブーツの長さが、５５ｃｍ程あり、２段に並べるとこの長さが必要となる。
また、上部に飾り板を置くに必要な長さである。
（ニ）副支柱（６）は、パイプでこれにブーツキャッチャー（７）から小物用フック（１１）のパーツの孔に差込みバランスをとりながら位置を決める。
（ホ）ブーツキャッチャー（７）は、ブーツの長短に合わせ位置を決める。
先端に付いているブーツクリップでブーツの上部を深めに挟み、吊り下げるように使用する。
（ヘ）靴受け板（９）は、２段目のブーツの靴底を支える役目と、靴底の埃が下段の靴に入らないようにする役目をする。
（ト）小物用飾り板（１０）は、小型の観葉植物や小さい置物を飾りおくことで、これ自体を明るくする役目をする。
（チ）小物用フック板は、車の鍵・家の鍵など、置き忘れがないように、掛ける目的である。
（リ）このブーツスタンドの仕上げは、土台板（１）と天板（１２）にある主支柱孔（２）、副支柱孔（３）に主支柱（５）と副支柱（６）を掘り込み孔に合わせ天板（１２）の上部より軽く叩き、ぐらつきが無い様にしっかり固定する。
（ヌ）副支柱孔（３）に付いた各パーツは全て１５０度程（回転）向きを変えることができる。
（ル）ブーツキャッチャー（７）他のパーツを上下するときは、前部を軽く上げて移動する。
（オ）このブーツスタンドは、ブーツを美しく且つコンパクトに収納できる。
また、花や置物を置くことでインテリアとしても使用できる。
【符号の説明】
【０００８】  １  土台板
２  主支柱孔
３  副支柱孔
４  安定ゴム
５  主支柱
６  副支柱
７  ブーツキャッチャー
８  ブーツクリップ
９  靴受け板
１０  小物等の飾り板
１１  小物用フック
１２  天板
【図１】
2012075830.tif 000003
【図２】
2012075830.tif 000004
【図３】
2012075830.tif 000005
【図４】
2012075830.tif 000006
【図５】
2012075830.tif 000007
【図６】
2012075830.tif 000008
【図７】
2012075830.tif 000009
【図８】
2012075830.tif 000010